(57)【特許請求の範囲】
【請求項１】
表面材と骨材とから構成された扉体と、
扉体に設けた電気部品と、
前記扉体内部を通って前記電気部品と扉体側通電金具とを接続する電気配線と、
前記扉体内部に配置され前記電気配線が挿通するパイプと、
前記扉体内部に配置され前記パイプを保持する１つあるいは複数のパイプ保持具と、
を備えたドアであって、
前記パイプ保持具は、
前記パイプの直径よりも大きい幅寸法を備えた１つのベースと、
前記１つのベースの幅方向の一方の端部から立ち上がる複数の立ち上がり片からなる第１立ち上がり片セットと、
前記１つのベースの幅方向の他方の端部から立ち上がる複数の立ち上がり片からなる第２立ち上がり片セットと、
とからなる金属製パイプ保持具であり、
前記第１立ち上がり片セットの任意の１つあるいは複数の立ち上がり片、前記第２立ち上がり片セットの任意の１つあるいは複数の立ち上がり片が、それぞれ保持片として選択されて任意の角度に内側に折り曲げられており、
前記パイプ保持具は、前記ベースあるいは／および保持片として選択されない１つ以上の立ち上がり片を、前記表面材あるいは／および前記骨材に固定することで扉体内部の所望部位に配置されており、
前記パイプは、当該パイプの周面に、前記ベース、前記第１立ち上がり片セットの少なくとも１つの立ち上がり片を内側に折り曲げた保持片、前記第２立ち上がり片セットの少なくとも１つの立ち上がり片を内側に折り曲げた保持片、が三方から当接することで前記パイプ保持具に保持されている、
電気部品を備えたドア。
【請求項２】
前記パイプ保持具の固定手段は、接着ないし溶接である、請求項１に記載の電気部品を備えたドア。
【請求項３】
前記パイプは、可撓性を有するフレキシブルパイプである、請求項１、２いずれか１項に記載の電気部品を備えたドア。
【請求項４】
前記電気部品は電気錠であり、前記電気配線は、戸先側縦框内、下框内、戸尻側縦框内を延びており、
前記パイプは、前記電気配線を挿通させるように、戸先側縦框内を延びる第１部分、下框内を延びる第２部分、戸尻側縦框内を延びる第３部分、からなり、
戸先側縦框内、下框内、戸尻側縦框内には、それぞれ、少なくとも１つのパイプ保持具が固定されており、
前記第１部分、前記第２部分、前記第３部分は、それぞれ、前記少なくとも１つのパイプ保持具によって保持されている、
請求項３に記載の電気部品を備えたドア。
【発明の詳細な説明】
【技術分野】
【０００１】
本発明は、電気部品を備えたドアに関するものである。
【背景技術】
【０００２】
ドアに電気錠などの電気部品を取り付ける場合には、電気部品と扉側の通電金具を電線で接続する必要があり、電線保護等の目的でこの電線が通るパイプを扉体内に配管する。パイプは通常は鉄製パイプであり、一般的には、この鉄製パイプを扉体の骨材に直接溶接するなどして、パイプを固定していた。また、パイプを固定しないとすると、扉体の開閉時にパイプと骨材が当たって異音発生や断線の原因となる。
【０００３】
ここで、電線が通るパイプには用途等に応じて幾つかの種類があり、例えば、配管として可撓性を備えたフレキシブルパイプ等の板厚が薄いパイプを用いた場合には、溶接によってパイプに穴が開くおそれがあり、その穴が断線や配線の妨げとなることが懸念される。
【０００４】
したがって、電線を挿通させるパイプを直接溶接することなく当該パイプを扉体内に固定する手段を講じる必要がある。
【０００５】
特許文献１には、扉体内に芯材と同じ高さの支持材兼用のスペーサを設けてパイプを保持する手段が開示されているが、この手段は、扉体面部を幅方向に横切ることを前提としており、扉体の中央部位にガラスやパネル等が嵌め込まれたドアには不向きである。
【先行技術文献】
【特許文献】
【０００６】
【特許文献１】特許第５０７４９４２号
【発明の開示】
【発明が解決しようとする課題】
【０００７】
本発明は、電気部品を備えたドアにおいて、電線を挿通するパイプを直接溶接することなく当該パイプを固定でき、また、扉体内におけるパイプの配管場所の自由度が高いパイプ固定手段を提供することを目的とするものである。
【課題を解決するための手段】
【０００８】
本発明が採用した技術手段は、
表面材と骨材とから構成された扉体と、
扉体に設けた電気部品と、
前記扉体内部を通って前記電気部品と扉体側通電金具とを接続する電気配線と、
前記扉体内部に配置され前記電気配線が挿通するパイプと、
前記扉体内部に配置され前記パイプを保持する１つあるいは複数のパイプ保持具と、
を備えたドアであって、
前記パイプ保持具は、ベースと、前記ベースに対して対向状に形成された第１立ち上がり片セットと、第２立ち上がり片セットと、からなり、
前記第１立ち上がり片セット、第２立ち上がり片セットは、それぞれ、複数の立ち上がり片からなり、
前記パイプ保持具は、前記ベースあるいは／および１つ以上の立ち上がり片を、前記表面材あるいは／および前記骨材に固定することで扉体内部の所望部位に配置されており、
前記パイプは、当該パイプの周面に、前記ベース、前記第１立ち上がり片セットの少なくとも１つの立ち上がり片を内側に折り曲げた保持片、前記第２立ち上がり片セットの少なくとも１つの立ち上がり片を内側に折り曲げた保持片、が三方から当接することで前記パイプ保持具に保持されている、
電気部品を備えたドア、
である。
電気部品としては、電気錠、ドアの開閉等を検知するセンサ等を例示することができる。
本明細書において、２つの保持片とベースが三方から当接するものには、前記２つの保持片がパイプの長さ方向に対向して当接する場合、前記２つの保持片がパイプの長さ方向にズレて当接する場合、が含まれる。
【０００９】
１つの態様では、前記パイプ保持具の固定手段は、接着（接着テープあるいは／および接着剤）ないし溶接である。
【００１０】
１つの態様では、前記パイプは、可撓性を有するフレキシブルパイプである。
【００１１】
１つの態様では、前記電気部品は電気錠であり、前記電気配線は、戸先側縦框内、下框内、戸尻側縦框内を延びており、
前記パイプは、前記電気配線を挿通させるように、戸先側縦框内を延びる第１部分、下框内を延びる第２部分、戸尻側縦框内を延びる第３部分、からなり、
前記第１部分、前記第２部分、前記第３部分は、それぞれ、少なくとも１つのパイプ保持具によって保持されている。
【発明の効果】
【００１２】
本発明では、電線が通るパイプを直接溶接等によって固定するのではなく、パイプ保持具を介して扉体に固定するようにしたので、板厚の薄いパイプ（フレキシブルパイプに限定されない）であっても扉体内部にしっかりと保持固定することができる。ドアの開閉動作時にパイプが扉体内でばたつくことがなく、異音が発生したり、断線したりすることもない。一般に板厚が薄く溶接に適さないフレキシブルパイプ（配管自由度が大きい）を、電線を挿通させるパイプとして用いることを可能とする。
【００１３】
本発明に係るパイプ保持具は、扉体の構成要素である骨材、表面材のいずれにも固定することができ、扉体内におけるパイプの配管場所の自由度が大きい。
本発明に係るパイプ保持具は、立ち上がり片の折り曲げ角度の選択によって、共通のパイプ保持具を用意しておけば、外径寸法の異なるパイプにも適応可能である。
本発明に係るパイプ保持具の第１立ち上がり片セット、第２立ち上がり片セットは、それぞれ、複数の立ち上がり片を備えているので、パイプ保持具の取付位置や施工性等を考慮して、任意の立ち上がり片を選択して折り曲げることでパイプを保持する保持片として機能させることができ、また、折り曲げられずに残った立ち上がり片を扉体への固定に利用する（図６、図８参照）こともできる。
【図面の簡単な説明】
【００１４】
【図１】本実施形態に係るドアの正面図である。
【図２】パイプ固定具の第１の実施形態を示す図である。
【図３】パイプ固定具の第２の実施形態を示す図である。
【図４】図２下図、図３下図に示すパイプ固定具を正面から見た図である。
【図５】扉体の戸先側縦框の横断面図であり、パイプ固定具の第１の固定手段を示す。
【図６】扉体の戸先側縦框の横断面図であり、パイプ固定具の第２の固定手段を示す。
【図７】他の実施形態に係るドアの部分横断面図であり、パイプ固定具の第１の固定手段を示す。
【図８】他の実施形態に係るドアの部分横断面図であり、パイプ固定具の第２の固定手段を示す。
【発明を実施するための形態】
【００１５】
図１は、本実施形態に係るドアの正面図であって、縦長方形状の扉体１は、四周状の上框１０、下框１１、戸先側縦框１２、戸尻側縦框１３と、中央に嵌め込まれたガラス１４と、を備えている。戸先側縦框１２の高さ方向の中間部位の少し下方にはハンドル１５が設けてあり、戸先側縦框１２内には、ハンドル１５の取付位置に隣接して電気錠１６が設けてある。戸尻側縦框１３の上方部位には、扉側の通電金具１７が設けてある。
【００１６】
戸先側縦框１２の電気錠１６の下半部位から、下框１１を通って、戸尻側縦框１３の上方部位の通電金具１７に至るまで、パイプ２が配置されており、パイプ２はパイプ保持具３によって保持されている。パイプ２内には、電気錠１６と通電金具１７を接続する電線４が通っている。パイプ２は、可撓性を備えたフレキシブルパイプである。このようなフレキシブル電線管は当業者に良く知られており、一般に肉薄である。
【００１７】
図１に示すように、パイプ２は、戸先側縦框１２内を延びる第１部分２０、下框１１内を延びる第２部分２１、戸尻側縦框１２内を延びる第３部分２２とからなるように折り曲げられている。パイプ２は、第１部分２０の長さ方向中間部位、第２部分２１の長さ方向中間部位、第３部分の長さ方向中間部位の３つの位置で、パイプ保持具３によって保持されている。なお、本実施形態ではパイプ２は円形の断面形状であるが、パイプ２の断面形状は限定されない。なお、本発明におけるパイプ２はフレキシブルパイプに限定されるものではなく、例えば、上記第１部分、第２部分、第３部分に対応する３本のパイプを接続したものでもよい。
【００１８】
上框１０、下框１１、戸先側縦框１２、戸尻側縦框１３から形成される扉体１の四周枠部は、四周状に配置された金属製骨材と、金属製骨材に対して装着された金属製の表面材と、から構成されている。図示の扉体において、金属製骨材は、扉体１の四周枠を形成する上側横骨材（図示せず）、下側横骨材（図示せず）、戸先側縦骨材５（図５、図６参照）、戸尻側縦骨材（図示せず）と、扉体１の内側に位置して、ガラス１４の四周枠を形成する上側横骨材（図示せず）、下側横骨材（図示せず）、第１縦骨材６（図５、図６参照）、第２縦骨材（図示せず）と、を備えている。
【００１９】
各骨材は、扉体１の厚さ方向に延びる第１片と、第１片に対して対向して垂直状に延びる第２片、第３片とから、断面視コ字形状を有しており、第２片には一方の表面材７（図１、図５、図６参照）が接着され、第３片には他方の表面材８（図５、図６参照）が接着される。
【００２０】
図５、図６に戸先側縦框１２の横断面図を示す。戸先側縦框１２は、扉体１の戸先側端部に位置して高さ方向に延びる戸先側縦骨材５と、戸先側縦骨材５に対して内側に離間して位置する第１縦骨材６と、を有している。
【００２１】
戸先側縦骨材５は、扉体１の戸先側端面に位置する第１片５０と、第１片５０に対して対向して垂直状に延びる第２片５１、第３片５２とから、断面視コ字形状を有しており、第２片５１には一方の表面材７が接着され、第３片５２には他方の表面材８が接着される。
【００２２】
第１縦骨材６は、扉体１の戸先側端面に位置する第１片６０と、第１片６０に対して対向して垂直状に延びる第２片６１、第３片６２とから、断面視コ字形状を有しており、第２片６１には一方の表面材７が接着され、第３片６２には他方の表面材８が接着される。
【００２３】
戸先側縦框１２において、表面材７の幅方向の一端側は余端部７０を残して戸先側縦骨材５の第２片５１に接着されると共に、余端部７０を直角に折り曲げて戸先側縦骨材５の第１片５０の半部に接着してなり、表面材８の幅方向の一端側は余端部８０を残して戸先側縦骨材５の第３片５２に接着されると共に、余端部８０を直角に折り曲げて戸先側縦骨材５の第１片５０の残りの半部に接着してなり、折り曲げられた余端部７０、８０から扉体１の戸先側端面が形成されている。
【００２４】
戸先側縦框１２において、表面材７の幅方向の他端側は余端部７１を残して第１縦骨材６の第２片６１に接着されると共に、余端部７１を折り曲げて断面視コ字状のガラス２の押縁（７１）が形成されており、表面材８の幅方向の他端側は余端部８１を残して第１縦骨材６の第３片６２に接着されると共に、余端部８１を折り曲げて断面視コ字状のガラスの押縁（８１）が形成されている。
【００２５】
パイプ保持具３の第１の実施形態を図２に基づいて説明する。パイプ保持具３は、ベース３０と、ベース３０に対して対向状に形成された第１立ち上がり片セット３１と、第２立ち上がり片セット３２と、からなる。第１立ち上がり片セット３１は複数の立ち上がり片３１０、３１１、３１２からなる。第２立ち上がり片セット３２は複数の立ち上がり片３２０、３２１、３２２からなる。パイプ保持具３の高さ寸法（立ち上がり片の高さ寸法）は扉体１の厚さよりも小さく、内外の表面材間に納まるような寸法となっている。また、パイプ保持具３のベース３０の幅寸法は、パイプ２の直径よりも大きい寸法となっている。
【００２６】
パイプ保持具３は、金属板を、水平状の底面部と垂直状の左右の立ち上がり面部から断面視コ字状に折り曲げ形成すると共に、左右の立ち上がり面部に垂直方向にスリット溝を形成することで、底面部からベース３０が、スリット溝が形成された左右の立ち上がり面部から第１立ち上がり片セット３１と、第２立ち上がり片セット３２が形成される。各立ち上がり片３１０、３１１、３１２、３２０、３２１、３２２の幅は、パイプ２をしっかりと保持でき、かつ、人手で折り曲げ易い程度の寸法となっている。
【００２７】
図２下図に、図２上図の状態から立ち上がり片３１１、３２１を選択して内側に向かって傾斜状に折り曲げた状態を示す。立ち上がり片３１１（３１１´）、３２１（３２１´）とベース３０が形成する角度は、直角から９０度未満の鋭角となっている。図２上図の状態でベース３０上にパイプ２を載せて、立ち上がり片３１１、３２１を互いに近づくように内側に折り曲げることで、パイプ２の周面には、ベース３０、左右の傾斜状の保持片３１１´、３２１´が三方から当接し、パイプ２の周面は３点Ｐ１、Ｐ２、Ｐ３によってパイプ保持具３にしっかりと保持される（図４参照）。なお、立ち上がり片３１１、３２１以外の立ち上がり片を選択して折り曲げて保持片として機能させてもよい。また、パイプ２の長さ方向にズレている立ち上がり片、例えば、立ち上がり片３１１と３２２を折り曲げて保持片としてもよい。
【００２８】
パイプ保持具３の第２の実施形態を図３に基づいて説明する。パイプ保持具３は、ベース３０と、ベース３０に対して対向状に形成された第１立ち上がり片セット３１と、第２立ち上がり片セット３２と、からなる。第１立ち上がり片セット３１は複数の立ち上がり片３１０、３１１、３１２、３１３、３１４からなる。第２立ち上がり片セット３２は複数の立ち上がり片３２０、３２１、３２２、３２３、３２４からなる。パイプ保持具３の高さ寸法（立ち上がり片の高さ寸法）は扉体１の厚さよりも小さく、内外の表面材間に納まるような寸法となっている。また、パイプ保持具３のベース３０の幅寸法は、パイプ２の直径よりも大きい寸法となっている。
【００２９】
パイプ保持具３は、金属板を、水平状の底面部と垂直状の左右の立ち上がり面部から断面視コ字状に折り曲げ形成すると共に、左右の立ち上がり面部に垂直方向にスリット溝を形成することで、底面部からベース３０が、スリット溝が形成された左右の立ち上がり面部から第１立ち上がり片セット３１と、第２立ち上がり片セット３２が形成される。各立ち上がり片３１０、３１１、３１３、３１４、３２０、３２１、３２３、３２４の幅は、パイプ２をしっかりと保持でき、かつ、人手で折り曲げ易い程度の寸法となっている。第２実施形態では、立ち上がり片３１２、３２２は幅広に形成されている。
【００３０】
図３下図に、図３上図の状態から立ち上がり片３１１、３１３、３２１、３２３を内側に向かって傾斜状に折り曲げた状態を示す。図３上図の状態でベース３０上にパイプ２を載せて、立ち上がり片３１１、３２１を互いに近づくように折り曲げることで、パイプ２の周面には、ベース３０、左右の傾斜状の保持片３１１´、３１３´、３２１´、３２３´が三方から当接し、パイプ２の周面は３点Ｐ１、Ｐ２、Ｐ３によってパイプ保持具３にしっかりと保持される（図４参照）。なお、立ち上がり片３１１、３１３、３２１、３２３以外の立ち上がり片を選択して折り曲げて保持片として機能させてもよい。
【００３１】
パイプ保持具３の固定手段について説明する。図５に示す態様では、パイプ保持具３を戸先側縦框１２の内部に位置させると共に、パイプ保持具３は、ベース３０と表面材７とを接着テープＡを介して接着することで、扉体１の内部に固定されている。パイプ２の第２部分２１を保持するパイプ保持具３、パイプ２の第３部分２２を保持するパイプ保持具３も、同様の接着手段で固定することができる。
【００３２】
図６に示す態様では、パイプ保持具３を戸先側縦框１２の内部に第１縦骨材６に隣接して位置させると共に、パイプ保持具３は、ベース３０の端部（第１立ち上がり片セット３１側）を表面材７に溶接すると共に、第２立ち上がり片セット３２の垂直状の立ち上がり片３２０の上端を第１縦骨材６の第２片６２の先端に溶接することで、扉体１の内部に固定されている。溶接箇所をＷで示す。パイプ２の第２部分２１を保持するパイプ保持具３、パイプ２の第３部分２２を保持するパイプ保持具３も、同様の溶接手段で固定することができる。
【００３３】
図１に示すドアは扉体１の中央にガラス１４が嵌め込まれているが、四周状に組まれた骨材及び複数本の中骨に室内外の表面材を張り付けてなる扉体も良く知られている。図７、図８は、このようなドアの部分横断面図であり、一方の表面材７及び中骨９、９が示してある。図８に示すように、中骨９は、第１片９０と、第１片９０に対して対向して垂直状に延びる第２片９１、第３片９２とから、断面視コ字形状を有しており、第２片９１には一方の表面材７が接着され、第３片９２には他方の表面材（図示せず）が接着される。
【００３４】
図７に示す態様では、パイプ保持具３を内外の表面材間の中空部に位置させると共に、パイプ保持具３は、ベース３０と表面材７とを接着テープＡを介して接着することで、扉体１の内部に固定されている。
【００３５】
図８に示す態様では、パイプ保持具３を内外の表面材間の中空部に一方の中骨９に隣接して位置させると共に、パイプ保持具３は、ベース３０の端部（第１立ち上がり片セット３１側）を表面材７に溶接すると共に、第２立ち上がり片セット３２の垂直状の立ち上がり片３２０の上端を中骨９の第２片９２の先端に溶接することで、扉体１の内部に固定されている。溶接箇所をＷで示す。
【００３６】
パイプ２の配管は、ドアの作製時に現場で行われる。この時、パイプ固定具３の扉体１への固定作業、パイプ固定具３によるパイプ２の保持作業は、現場の状況や作業者の便宜等に応じて、いずれの作業を先に行うようにしてもよい。
【符号の説明】
【００３７】
１  扉体
２  パイプ
３  パイプ保持具
３０  ベース
３１  第１立ち上がり片セット
３１０〜３１４  立ち上がり片
３２  第２立ち上がり片セット
３２０〜３２４  立ち上がり片
【図１】
0006370665.tif 000002
【図２】
0006370665.tif 000003
【図３】
0006370665.tif 000004
【図４】
0006370665.tif 000005
【図５】
0006370665.tif 000006
【図６】
0006370665.tif 000007
【図７】
0006370665.tif 000008
【図８】
0006370665.tif 000009